(57)【要約】【課題】従来一般の撮影ボックスに対し、プロジェクタ等を用いた投影機能を用いて、例えば、広告宣伝等の付加的な機能を付加し、また、ユーザインタフェース等の表現の自由度を拡張した、撮影ボックスを提供すること。【解決手段】撮影装置、及び外部から仕切られた撮影空間を有する撮影ボックスであって、位置的又は時間的に分離された複数の画像を発生する画像発生手段と、前記画像を被投影部に投影する投影光を生成する投影光生成手段と、分離された前記複数の画像の内の少なくとも１つについて前記投影光を前記撮影空間の内側又は外側に指向させる指向手段と、を有する。【選択図】図１
2020197791.tif 000002
【特許請求の範囲】
【請求項１】
撮影装置、及び外部から仕切られた撮影空間を有する撮影ボックスであって、
位置的又は時間的に分離された複数の画像を発生する画像発生手段と、
前記画像を被投影部に投影する投影光を生成する投影光生成手段と、
分離された前記複数の画像の内の少なくとも１つについて前記投影光を前記撮影空間の内側又は外側に指向させる指向手段と、
を有することを特徴とする撮影ボックス。
【請求項２】
前記画像発生手段が発生する前記複数の画像は位置的に分離されており、
前記指向手段は、前記投影光の前記複数の画像の内の内側用画像を含む領域を前記撮影空間の内側の被投影部に指向させ、且つ、前記投影光の前記複数の画像の内の外側用画像を含む領域を前記撮影空間の外側の被投影部に指向させる、請求項１に記載の撮影ボックス。
【請求項３】
前記画像発生手段が発生する前記複数の画像は時間的に分離されており、
前記指向手段は、前記複数の画像の内の内側用画像が投影されるタイミングの前記投影光を前記撮影空間の内側の被投影部に指向させ、且つ、前記複数の画像の内の外側用画像が投影されるタイミングの前記投影光を前記撮影空間の外側の被投影部に指向させる、請求項１に記載の撮影ボックス。
【請求項４】
前記撮影空間の内部の人を検知する空間内人感センサを更に有し、
前記空間内人感センサによって人を検知したときに、前記指向手段によって前記投影光を前記撮影空間の内側の前記被投影部に指向させる、請求項１乃至３のいずれかに記載の撮影ボックス。
【請求項５】
前記撮影空間の内部の人を検知する空間内人感センサを更に有し、
前記空間内人感センサによって人を検知したときに、前記画像発生手段は前記指向手段によって前記撮影空間の内側の前記被投影部に指向させる画像を発生し、及び／又は、前記投影光生成手段は前記指向手段によって前記撮影空間の内側の前記被投影部に指向させる画像の画質を調整する、請求項１乃至４のいずれかに記載の撮影ボックス。
【請求項６】
前記指向手段によって前記撮影空間の内側の前記被投影部に指向させる、前記画像発生手段によって発生される前記画像の少なくとも一部が、ユーザインタフェース用の操作画面である、請求項５に記載の撮影ボックス。
【請求項７】
前記撮影空間の外部の人を検知する空間外人感センサを更に有し、
前記空間外人感センサによって人を検知したときに、前記画像発生手段は、前記指向手段によって前記撮影空間の外側の前記被投影部に指向させる画像を発生し、及び／又は、前記投影光生成手段は前記指向手段によって前記撮影空間の外側の前記被投影部に指向させる画像の画質を調整する、請求項１乃至６のいずれかに記載の撮影ボックス。
【請求項８】
前記撮影空間の外側における前記被投影部は、前記撮影ボックスが設置された設置面、又は、前記撮影ボックスの外壁である、請求項１乃至７のいずれかに記載の撮影ボックス。
【請求項９】
前記画像発生手段と前記投影光生成手段はプロジェクタに含まれる、請求項１乃至８のいずれかに記載の撮影ボックス。
【請求項１０】
前記プロジェクタは、前記撮影ボックスの上部に位置付けられ、前記投影光は、前記撮影空間の内側の前記被投影部に対して略水平方向に前記投影光生成手段から前記指向手段に向って照射される、請求項９に記載の撮影ボックス。
【請求項１１】
前記撮影空間の内側又は外側の明るさに応じて前記投影光の輝度を調整する、請求項１乃至１０のいずれかに記載の撮影ボックス。
【請求項１２】
前記被投影部に投影する前に前記画像に歪みを与える、請求項１乃至１１のいずれかに記載の撮影ボックス。
【請求項１３】
前記投影光を前記撮影空間の内側に位置する操作部材に前記指向手段によって指向させる、請求項１乃至１２のいずれかに記載の撮影ボックス。
【請求項１４】
前記撮影空間の内部の人の身長、及び／又は、目線の高さに応じて、前記投影光の位置、及び／又は、高さが調整される、請求項１乃至１３のいずれかに記載の撮影装置。
【発明の詳細な説明】
【技術分野】
【０００１】
本発明は、撮影ボックス、更に言えば、撮影空間の内側又は外側に所定の像を投影することができる撮影ボックスに関する。
【背景技術】
【０００２】
特許第５４４５１０７号（特許文献１）その他多くの文献に、証明写真、プリントシール等を発行することができる、ボックス形状を有した撮影ボックスが開示されている。これらの撮影ボックスは移動式のものであって、様々な場所に比較的自由に移動、設置させることができ、今日では、例えば、大型商業施設、ゲームセンター、駅構内等、様々な場所で見かけるようになっている。
【先行技術文献】
【特許文献】
【０００３】
【特許文献１】特許第５４４５１０７号
【発明の概要】
【発明が解決しようとする課題】
【０００４】
これら従来一般の撮影ボックスは、その機能及び外観については、主として、撮影、印刷等、それ自身の本来の目的を達成するためにのみ注力され、特記すべきその他の機能は何ら有していなかった。しかしながら、撮影ボックスの設置場所は、上述したような、多くの人の目に触れる場所であることが多く、撮影ボックスのこのような使用環境を考慮すると、例えばこれを広告宣伝媒体として使用することによって、多大な効果が得られることが期待される。この点に関して、従来一般の撮影ボックスは、証明写真やプリントシール等に使用できることが、その外壁に謳われているだけで、その他の広告宣伝のためにはほとんど使用されていなかった。
【０００５】
また、撮影ボックスの内部には、撮影操作を可能とするために、モニター画面や、物理的に固定された操作部材、印刷表示等を利用して、ユーザインタフェースが設けられているが、モニター画面それ自体等は、通常、固定されたものであって、表現の自由度は小さく、ユーザにとってあまり魅力的なものとは言い難い場合があった。
【０００６】
本発明は、これら従来技術における問題点を解決するためになされたものであり、従来一般の撮影ボックスに対し、プロジェクタ等を用いた投影機能を用いて、例えば、広告宣伝等の付加的な機能を付加し、また、ユーザインタフェース等の表現の自由度を拡張した、撮影ボックスを提供することを目的とする。
【課題を解決するための手段】
【０００７】
上記の課題を解決するため、本発明の一態様による撮影ボックスは、撮影装置、及び外部から仕切られた撮影空間を有する撮影ボックスであって、位置的又は時間的に分離された複数の画像を発生する画像発生手段と、前記画像を被投影部に投影する投影光を生成する投影光生成手段と、分離された前記複数の画像の内の少なくとも１つについて前記投影光を前記撮影空間の内側又は外側に指向させる指向手段と、を有することを特徴として有する。
この態様の撮影ボックスによれば、従来一般の撮影ボックスに対し、プロジェクタ等を用いた投影機能を用いて、例えば、広告宣伝等の付加的な機能を付加し、また、ユーザインタフェース等の表現の自由度を拡張した、撮影ボックスを提供することができる。
【０００８】
上記態様の撮影ボックスにおいて、前記画像発生手段が発生する前記複数の画像は位置的に分離されており、前記指向手段は、前記投影光の前記複数の画像の内の内側用画像を含む領域を前記撮影空間の内側の被投影部に指向させ、且つ、前記投影光の前記複数の画像の内の外側用画像を含む領域を前記撮影空間の外側の被投影部に指向させるのが好ましい。
【０００９】
また、上記態様の撮影ボックスにおいて、前記画像発生手段が発生する前記複数の画像は時間的に分離されており、前記指向手段は、前記複数の画像の内の内側用画像が投影されるタイミングの前記投影光を前記撮影空間の内側の被投影部に指向させ、且つ、前記複数の画像の内の外側用画像が投影されるタイミングの前記投影光を前記撮影空間の外側の被投影部に指向させるのが好ましい。
【００１０】
更に、上記態様の撮影ボックスにおいて、前記撮影空間の内部の人を検知する空間内人感センサを更に有し、前記空間内人感センサによって人を検知したときに、前記指向手段によって前記投影光を前記撮影空間の内側の前記被投影部に指向させてもよい。
これにより、撮影ボックス外のユーザが撮影室内に入ったことを検知して、投影先を室内側に切り替えることができる。
【００１１】
また、上記態様の撮影ボックスにおいて、前記撮影空間の内部の人を検知する空間内人感センサを更に有し、前記空間内人感センサによって人を検知したときに、前記画像発生手段は前記指向手段によって前記撮影空間の内側の前記被投影部に指向させる画像を発生し、及び／又は、前記投影光生成手段は前記指向手段によって前記撮影空間の内側の前記被投影部に指向させる画像の画質を調整してもよい。
これにより、撮影ボックス外のユーザが撮影室内に入ったときにのみ、操作画面を投影させることができ、また、撮影操作中は撮影ボックスの外部にボックスが利用中である旨の表示を行うことができる。
【００１２】
また、上記態様の撮影ボックスにおいて、前記指向手段によって前記撮影空間の内側の前記被投影部に指向させる、前記画像発生手段によって発生される前記画像の少なくとも一部が、ユーザインタフェース用の操作画面であってもよい。
これにより、非撮影操作時は少なくとも一部の投影画像を広告用とし、撮影操作中は少なくとも一部の投影画像をユーザインタフェース用の操作画面とすることができる。また、例えば、撮影操作中に、ユーザ正面の壁面にユーザインタフェース用の操作画面を表示してユーザの手の動きをカメラで撮影し、この動きを解析することで撮影操作を行わせることができる
【００１３】
更にまた、上記態様の撮影ボックスにおいて、前記撮影空間の外部の人を検知する空間外人感センサを更に有し、前記空間外人感センサによって人を検知したときに、前記画像発生手段は、前記指向手段によって前記撮影空間の外側の前記被投影部に指向させる画像を発生し、及び／又は、前記投影光生成手段は前記指向手段によって前記撮影空間の外側の前記被投影部に指向させる画像の画質を調整してもよい。
これにより、通行人の動きを検知して、通行人の進行方向の足元や目線の高さ位置に広告や動画を表示、再生し、例えば、通行人を撮影ボックスに誘導することができる。
【００１４】
また、上記態様の撮影ボックスにおいて、前記撮影空間の外側における前記被投影部は、前記撮影ボックスが設置された設置面、又は、前記撮影ボックスの外壁であってもよい。
【００１５】
また、上記態様の撮影ボックスにおいて、前記画像発生手段と前記投影光生成手段はプロジェクタに含まれていてもよい。
ここで、前記プロジェクタは、前記撮影ボックスの上部に位置付けられ、前記投影光は、前記撮影空間の内側の前記被投影部に対して略水平方向に前記投影光生成手段から前記指向手段に向って照射されてもよい。
【００１６】
また、上記態様の撮影ボックスにおいて、前記撮影空間の内側又は外側の明るさに応じて前記投影光の輝度を調整するのが好ましい。
【００１７】
更に、上記態様の撮影ボックスにおいて、前記被投影部に投影する前に前記画像に歪みを与えておくのが好ましい。
これにより、被投影部に対する投影光の投影角や、被投影部自体における歪等によって、投影された画像に歪や変形が生じてしまうことを防ぐことができる。
【００１８】
更に、上記態様の撮影ボックスにおいて、前記投影光を前記撮影空間の内側に位置する操作部材に前記指向手段によって指向させてもよい。
これにより、ユーザの視線を操作部材へと自然に誘導させることができる。
【００１９】
また、上記態様の撮影ボックスにおいて、前記撮影空間の内部の人の身長、及び／又は、目線の高さに応じて、前記投影光の位置、及び／又は、高さが調整するのが好ましい。
【発明の効果】
【００２０】
本発明によれば、従来一般の撮影ボックスに対し、プロジェクタ等を用いた投影機能を用いて、例えば、広告宣伝等の付加的な機能を付加し、また、ユーザインタフェース等の表現の自由度を拡張した、撮影ボックスが提供される。
【図面の簡単な説明】
【００２１】
【図１】本発明の一実施形態による撮影ボックスの概略斜視図である。
【図２】図１のII−II線断面図である。
【図３】図１のIII−III線断面図である。
【図４Ａ】位置的に分離された画像を用いて変調された投影光を指向する際の原理を説明する図である。
【図４Ｂ】位置的に分離された画像を用いて変調された投影光を指向する際の原理を説明する図である。
【図５】時間的に分離された画像を用いて変調された投影光を指向する際の原理を説明する図である。
【図６】時間的に分離された画像を用いて変調された投影光を指向する際の原理を説明する図である。
【図７】撮影ボックスの機能ブロック図である。
【発明を実施するための形態】
【００２２】
以下、添付図面を参照しつつ、本発明の好適な一つの実施形態について説明する。説明の便宜のため好適な実施形態のみを示すが、勿論、これによって本発明を限定しようとするものではない。
【００２３】
図１に、本発明の一実施形態による撮影ボックス１の概略斜視図を、図２に、図１のII−II線断面図を、図３に、図１のIII−III線断面図を、それぞれ示す。撮影ボックス１は、従来一般の撮影ボックスと略同じ外観、例えば、図示のような略直方のボックス形状を有し、また、特許文献１に開示されている証明写真撮影装置等のような、従来一般の撮影ボックスと同様の機能及び構造を備えており、更に加えて、従来一般の撮影ボックスと異なり、撮影空間５の内側又は外側に所定の像を投影することができる付加的な機能をも備えている。この付加的な機能を備えることにより、例えば、撮影空間５の内側又は外側に様々な広告宣伝のための像を投影することができ、また、撮影空間５の内側に操作画面を投影してユーザインタフェースの表現の自由度を拡張することができる。
【００２４】
従来一般の撮影ボックスと同様の機能及び構造として、撮影ボックス１には、少なくとも、撮影装置３と、複数の外壁１１や遮光カーテン１６等の仕切り部材によって外部から仕切られた撮影空間５が含まれる。撮影装置３は、更に、例えば、撮影窓３Ｂに加え、課金投入口、ＩＣカードリーダー、コード表示器等を含む操作部材５５のような、撮影空間５の内壁に設置された通常の写真撮影に必要とされる機器を含み、更にまた、撮影空間５の内部の人を検知する空間内人感センサ５３を含んでもよい。これらの機器は、従来一般の撮影ボックスで使用されている機器と同じ構造を有するものであると解してよく、ここでは詳細な説明は省略する。
【００２５】
撮影装置３に隣接して撮影空間５が設けられている。撮影空間５には、写真撮影等の際にユーザが腰かけることができる椅子５１が設けられている。椅子５１に腰かけたユーザの、例えば、正面に位置する撮影装置３の壁面３Ａに、撮影装置３等の操作を可能とするユーザインタフェースが設けられている。ユーザインタフェースは、従来一般の物理的に固定された操作部材５５等であってもよいが、これに代えて、本装置の投影機能を利用して壁面３Ａ等に投影されたユーザインタフェース用の操作画像４２であってもよい。投影機能を利用して投影された操作画像４２を使用する場合、ユーザの手元をカメラ（図示されていない）で撮影して手元の動きを解析することで、撮影装置３の操作を可能とすることができる。勿論、物理的な操作部材５５等と、投影機能を利用して投影された操作画像４２の双方を利用できるようにしてもよい。
【００２６】
投影機能を付加するため、撮影ボックス１の、例えば、撮影空間５の上部、言い換えれば、ユーザの頭上位置に、投影セット７が設けられている。投影セット７には、少なくとも、位置的又は時間的に分離された複数の画像４１、４２、４３を発生する画像発生部（２０）と、これらの画像４１、４２、４３を、所定の被投影部に投影する投影光２１を生成する投影光生成部（２０）と、更に、この投影光２１を撮影空間５の内側又は外側に指向させる指向部３０が含まれる。
【００２７】
被投影部、例えば、画像４１によって変調された投影光中の成分「α」が投影される対象は、撮影空間５の外側に位置する、撮影ボックス１が設置された設置面１２、言い換えれば、通行人の進行方向前方の足元であってもよく、また、画像４２によって変調された投影光中の成分「β」が投影される対象は、撮影空間５の内側に位置する、撮影装置３の操作部材５５等を含む壁面３Ａであってもよく、更に、画像４３によって変調された投影光中の成分「γ」が投影される対象は、撮影空間５の外側に位置する、撮影ボックスの前外壁１１Ａであってもよい。各画像４１、４２、４３によって変調された投影光２１は、指向部３０によって指向されることにより、これら様々な被投影部１２、３Ａ、１１Ａに投影される。尚、本実施形態のように、投影光生成部（２０）や指向部３０が、撮影ボックス１の内部に設けられている場合には、例えば、投影光成分「α」を被投影部１２に投影させるために、外壁１１に小窓１３等を設け、また、投影光成分「α」を、前外壁１１Ａに投影させるために、外壁１１Ａ外部に方向変換機３４を設ける。更に、投影機能に関連して、撮影ボックス１には、撮影空間５の内部に設けた人感センサ５３に加え、撮影空間５の外部に撮影空間５の外部の人を検知する空間外人感センサ５４を設けるのが好ましい。
【００２８】
投影セット７に含まれる画像発生部（２０）及び投影光生成部（２０）の機能は、例えば、通常のプロジェクタのような所定の周期で切り替えるラスタースキャンの画像を投影する投影機に画像を発生させる構成を接続したものによって達成することができる。なお、プロジェクタは、ベクタースキャンのレーザプロジェクタなどを使用することも可能である。この点から、図中の参照番号２０は、通常のプロジェクタを示すものとして捉えることもできる。プロジェクタは、１基であってもよいし、例えば、広告宣伝用とユーザインタフェース用のそれぞれについて１基ずつ、計２基を設けてもよい。プロジェクタを１基とした場合には、光路上に切り替え装置を設置して、広告宣伝用とユーザインタフェース用の間で切り換えてもよい。尚、構造を簡易化するため、２基設ける場合でも制御装置は１つとするのが好ましい。
【００２９】
投影光生成部（２０）からは、画像発生部（２０）で発生された複数の画像４１、４２、４３によって変調された投影光２１が指向部３０に向けて照射される。実施形態のように、ユーザの頭上位置に投影光生成部（２０）と指向部３０が設けられている場合、投影光２１は、撮影ボックス１の上部において、例えば、撮影装置３の操作部材５５等を含む壁面３Ａに対して略水平方向に投影光生成部（２０）から指向部３０に向って照射されることになる。その後、投影光２１の画像域に含まれる複数の画像４１、４２、４３の内のいずれかの画像を含む領域が、指向部３０の反射等を利用して、投影光成分「α」、「β」、「γ」として、それぞれ、予め定めた被投影部１２、３Ａ、１１Ａに指向される。尚、指向部３０は、投影光２１を所定の方向に指向することができれば足り、勿論、ミラーに限定されるものではなく、更に、反射体に限定されるものでもない。
【００３０】
投影光２１は、画像発生手段（２０）によって発生された、位置的又は時間的に分離された複数の画像４１、４２、４３を用いて変調される。
図４のＡ、Ｂに、位置的に分離された画像４１、４２、４３を用いて変調された投影光２１を、指向部３０（３０−１）を用いて指向する際の原理を説明するための図を示す。
【００３１】
図４のＡに示すように、位置的に分離された画像４１、４２、４３を用いて変調された投影光２１の画像域４には、画像４１を含む領域４１ａと、画像４２を含む領域４２ａ、及び画像４３を含む領域４３ａの全てが、画像域４にて互いに位置的に分離された状態で同時に含まれる。
【００３２】
投影光２１は、その後、図４のＢに示すように、指向部３０−１によって、画像４１、４２、４３をそれぞれ含む位置的に異なる領域４１ａ、４２ａ、４３ａに各々が対応する投影光成分「α」、「β」、「γ」に分離される。指向部３０−１は、例えば、ミラーであってもよく、領域４１ａ、４２ａ、４３ａのそれぞれの位置に対応して、複数のミラー部分３１Ａ、３１Ｂ、３１Ｃを含む。これらのミラー部分３１Ａ、３１Ｂ、３１Ｃは、予め固定された角度に調整されており、固定式のものであってもよい。投影光２１は、これらのミラー部分３１Ａ、３１Ｂ、３１Ｃを含む指向部３０−１に向かって一時に照射される。この結果、例えば、図４に示すように、画像４１を用いて変調された投影光２１の画像域４中の、画像４１を含む領域４１ａは、ミラー部分３１Ａによって、また、画像４２を含む領域４２ａは、ミラー部分３１Ｂによって、更に、画像４３を含む領域４３ａは、ミラー部分３１Ｃによって、それぞれ、異なる角度の投影光成分「α」、「β」、「γ」に分離され、その後、所定の被投影部へと反射、投影される。このような構成により、時間的に分離された画像を、典型的には複数のミラーにより、それぞれ異なる方向に指向させることが可能となる。尚、図４に示した構造は、指向の原理を示すことを目的とした便宜上のものであって、ミラーの反射方向まで厳密に考慮した図とはなっていない。
【００３３】
図５、図６に、時間的に分離された画像４１、４２、４３をそれぞれ用いて変調された投影光２１Ａ、２１Ｂ、２１Ｃを、指向部３０（３０−２）を用いて指向する際の原理を説明するための図を示す。
図５に示すように、時間的に分離された画像４１、４２、４３を用いてそれぞれ変調された投影光２１Ａ、２１Ｂ、２１Ｃの画像域４には、ある一の時間においては、画像４１を含む時間的な領域４１ａ、又は、画像４２を含む時間的な領域４２ａ、又は、画像４３を含む時間的な領域４３ａのいずれかだけが、他の画像とは互いに時間的に分離された状態で含まれる。図５は、互いに時間を異にして順次に繰り返し連続的に発生されるこれら領域４１ａ、４２ａ、４３ａを、時間毎に区別した状態で示したものであって、図示矢印が示す方向は時間の流れを示している。一組の領域４１ａ、４２ａ、４３ａが繰り返される周期は、例えば、投影光２１における画像の走査時間（例えば１／３０秒）などとすることができる。
【００３４】
時間的に分離された画像４１、４２、４３をそれぞれ用いて変調された投影光２１Ａ、２１Ｂ、２１Ｃは、その後、図６の（ａ）乃至（ｃ）に示すように、指向部３０−２によって、画像４１、４２、４３をそれぞれ含む領域４１ａ、４２ａ、４３ａに各々が対応する投影光成分「α」、「β」、「γ」に分離される。ここで図６の（ａ）乃至（ｃ）は、それぞれ、時間を異にして順次に繰り返し連続的に発生される領域４１ａ、４２ａ、４３ａに相当する投影光２１Ａ、２１Ｂ、２１Ｃが、指向部３０−２によって指向されるときの反射状態を示したものである。図６に示すように、指向部３０−２は、全ての領域４１ａ、４２ａ、４３ａに対して同じ位置に配置された、例えば、１個のミラーで構成されていてもよく、該１個のミラーは、複数のミラー片３１の集合体で構成されてもよい。複数のミラー片３１を備えるミラー３０としては、例えば、圧電ミラー（レーザプロジェクタの場合はポリゴンミラー）を用いることもできる。これら複数のミラー片３１は各々、例えば、圧電アクチュエータのような駆動装置（図示されていない）によって高速駆動が可能とされており、互いに時間を異にして順次に繰り返し連続的に照射される投影光に含まれる領域４１ａ、４２ａ、４３ａの発生タイミングに合わせて、図５の（ａ）乃至（ｃ）にそれぞれ示す所定の角度「θ１」、「θ２」、「θ３」に角度が変えられる。投影光２１は、領域４１ａ、４２ａ、４３ａ毎に所定の角度「θ１」、「θ２」、「θ３」にそれぞれ設定された複数のミラー片３１で構成された指向部３０−２に向かって、画像域４に領域４１ａ、４２ａ、４３ａがそれぞれ含まれるタイミングで時系列的に順次に照射される。例えば、図５の（ａ）に示す時間域では、画像４１を用いて変調された投影光２１の画像域４中の、画像４１を含む領域４１ａが、角度「θ１」に設定された複数のミラー片３１によって投影光成分「α」に分離され、続く（ｂ）に示す時間域では、画像４２を用いて変調された投影光２１の画像域４中の、画像４２を含む領域４２ａが、角度「θ２」に設定された複数のミラー片３１によって投影光成分「β」に分離され、更に、続く（ｃ）に示す時間域では、画像４２を用いて変調された投影光２１の画像域４中の、画像４３を含む領域４３ａが、角度「θ３」に設定された複数のミラー片３１によって投影光成分「γ」に分離され、その後、所定の被投影部へと反射、投影される。このような構成により、時間的に分離された画像を、典型的には１つのミラーにより、それぞれ異なる方向に指向させることが可能となる。尚、図５に示した構造は、図４と同様に、指向の原理を示すことを目的とした便宜上のものであって、ミラーの反射方向まで厳密に考慮した図とはなっていない。
【００３５】
図６に、撮影ボックス１の機能ブロック図を示す。撮影ボックス１は、従来一般の撮影ボックスを制御するために必要とされる制御部の他、位置的又は時間的に分離された複数の画像４１、４２、４３を発生する画像発生部４００（図２、図３等に示した画像発生部（２０）に相応し、また、請求項中の「画像発生手段」に対応する）と、これら複数の画像４１、４２、４３を被投影部（１２、３Ａ、１１Ａ）にそれぞれ投影する投影光２１を生成する投影光生成部２００（図２、図３等に示した投影光生成部（２０）に相応し、また、請求項中の「投影光生成手段」に対応する）と、投影光２１を撮影空間５の内側又は外側に指向させる指向部３００（図２、図３等に示した指向部３０に相当し、また、請求項中の「指向手段」に対応する）、更に、センサ部５００を含む。センサ部５００には、撮影空間５の内部に設けた人感センサ５３による検知結果を反映する検知部５０１に加え、撮影空間５の外部に設けた人感センサ５４による検知結果を反映する検知部５０２が含まれる。
【００３６】
制御機能は、システムバスＳＢを介して互いに接続された、信号入力部１１１、ＣＰＵ１１３、メモリ１１４、及び画像メモリ１１５を利用して達成される。ユーザによる撮影ボックス１の操作は、例えば、操作部材５５を通じて信号を受信する信号入力部１１１を通じて、システムバスＳＢを介してＣＰＵ１１３に信号を送ることによって行われる。システムバスＳＢには更に、投影光生成部２００、画像発生部４００、指向部３００、及びセンサ部５００に接続されて、互いに信号が送受信される。
【００３７】
画像発生部４００は、例えば、画像変換部４０１と画像制御部４０２を含む。画像変換部４０１は、システムバスＳＢを介して画像メモリ１１５や信号入力部１１１等から取り込んだ画像データを、投影光生成部２００からの光を変調することができる所定フォーマットの画像信号に変換する。画像制御部４０２は、変換された画像信号に基づく画像４１、４２、４３を、位置的又は時間的に分離する。また、必要であれば、画像４１、４２、４３が投影後に正規の形状となるよう、言い換えれば、被投影部に対する投影光の投影角や被投影部自体における歪等によって投影された画像に歪や変形が生じないよう、それらの画像が投影される前に画像に予め歪を与えてもよい。歪は、画像制御部４０２で生成してもよいが、投影光生成部２００で生成してもよい。画像制御部４０２で調整された画像４１、４２、４３は、投影光生成部２００で発生される光を変調するために使用される。
【００３８】
投影光生成部２００は、少なくとも、光源２０１と、光源制御部２０２を含む。光源２０１は、放電ランプ、発光ダイオード、レーザダイオード、有機ＥＬ、蛍光体、その他、最終的に投影光として使用可能な光を生成できれば足りる。生成された光は、光源制御部２０２を利用して、照度、輝度、光度等を調整され、また、ＯＮ、ＯＦＦ自体を制御される。例えば、外光、即ち、撮影空間５の内側又は外側の明るさに応じて、投影光２１の輝度を調整してもよいし、また、撮影空間５の外側が明るすぎる場合には、光源２０１による照射自体をＯＮ、ＯＦＦすることもできる。光源制御部２０２で調整、制御された光は、画像発生部４００で調整された画像４１、４２、４３を利用して変調された後、投影光２１として指向部３００に送られる。
【００３９】
指向部３００は、例えば、アクチュエータ等の駆動部３０１ａを設けたミラー部３０１を含む。更に、例えば、駆動部３０１ａを制御してミラー部３０１におけるミラー角度等を調整するミラー制御部３０２を含む。ミラー制御部３０２の働きにより、画像４１等によって変調された投影光２１を、撮影空間５の内側又は外側の所定の方向に指向させる。指向された各投影光成分「α」、「β」、「γ」は、撮影空間５の内側又は外側の所定の被投影部１２、３Ａ、１１Ａに投影される。
【００４０】
更に、以下に説明するように、センサ部５００における検知結果を利用して、光源制御部２０２、画像制御部４０２、及びミラー制御部３０２を、様々な態様で制御することができる。
【００４１】
例えば、撮影空間５の内部の人を検知した場合、センサ部５００に含まれる検知部５０１からの信号によってミラー制御部３０２が起動し、駆動部３０１ａを駆動させてミラー片の角度を調整することより、例えば、ユーザインタフェース用の操作画像４２に対応する投影光成分「β」を、撮影空間５の内側の被投影部３Ａに指向させることができる。これにより、撮影ボックス１外のユーザが撮影空間５に入ったことを検知して、プロジェクタの表示先を室内側に切り替えることができる。
【００４２】
尚、画像４２を指向させる際には、撮影空間５の内部におけるユーザの身長や目線高さに応じて、投影される画像４２の位置や高さを調整してもよい。これらの検出には、赤外線ライトやカメラを用いることができる。また、投影される画像４２の位置と、撮影窓３Ｂ等の固定位置にある操作部材５５の位置、例えば、図３に示すような、投影された画像４２の窓枠４２Ａの位置と、撮影窓３Ｂの位置とを調整したり、投影された画像４２を用いて、ユーザの視線を操作部材５５へと自然に誘導することもできる。図示の例では、ユーザの操作を誘導するため、ユーザインタフェース用の操作画像４２に「カメラを見て下さい」の文字を含めている。
【００４３】
また、例えば、撮影空間５の内部の人を検知した場合、センサ部５００に含まれる検知部５０１からの信号によって、画像制御部４０２、ミラー制御部３０２、及び光源制御部２０２を起動し、画像制御部４０２によって、撮影空間５の内側の被投影部３Ａに指向させる画像、例えば、画像４２を発生し、且つ、撮影空間５の外側の被投影部１２に指向させる画像、例えば、画像４３を発生するとともに、ミラー制御部３０２によって、画像４２によって変調された投影光２１中の投影光成分「β」を撮影空間５の内側の被投影部３Ａに指向させ、且つ、画像４３によって変調された投影光２１中の投影光成分「γ」を撮影空間５の外側の被投影部１１Ａに指向させ、更に、光源制御部２０２によって、撮影空間５の内側の被投影部３Ａに指向させる画像について光源２０１をＯＦＦからＯＮ状態に、且つ、撮影空間５の外側の被投影部１１Ａに指向させる画像について光源２０１の光量を増加させる、言い換えれば、画質を調整することができる。これにより、撮影ボックス１外のユーザが撮影空間５に入ったときにのみ、例えば、ユーザインタフェース用の操作画像４２を投影させることができ、また、撮影操作中は撮影ボックスの外部にボックスが利用中であること旨の表示を行うことができる。
【００４４】
更に、例えば、撮影空間５の外部の人を検知した場合、センサ部５００に含まれる検知部５０２からの信号によって、画像制御部４０２、ミラー制御部３０２、及び光源制御部２０２を起動し、画像制御部４０２によって、撮影空間５の外側の被投影部１２に指向させる画像４１、４３を発生するとともに、ミラー制御部３０２によって、画像４１によって変調された投影光２１中の投影光成分「α」、画像４３によって変調された投影光２１中の投影光成分「γ」を撮影空間５の外側の被投影部１２、１１Ａに指向させ、更に、光源制御部２０２によって、撮影空間５の外側の被投影部１２に指向させる画像４１について光源２０１をＯＦＦからＯＮ状態に、又は、撮影空間５の外側の被投影部１１Ａに指向させる画像４３について光源２０１の光量を増加させる、言い換えれば、画質を調整することができる。これにより、通行人の動きを検知して、通行人の進行方向の足元や目線の高さ位置に広告や動画を表示、再生し、例えば、通行人を撮影ボックス１に誘導することができる。
【００４５】
尚、本発明は、上述した実施の形態に限定されるわけではなく、その他種々の変更が可能である。
例えば、位置的、及び／又は、時間的に分離された複数の画像の全てについて投影する必要はなく、それら複数の画像の内の少なくとも１つ、例えば、１つの画像のみについて投影を行ってもよい。また、複数の画像は、位置的に分離されるとともに、時間的に分離されてもよく、また、この場合、投影光を位置的に分離するためのミラーと、時間的に分離するためのミラーを組み合わせてもよい。
また、市販のプロジェクタを利用してもよいが、市販のプロジェクタを用いることなく、本願の機能を達成するために必要な機構を別個に設けてもよい。本願の機能を達成するためのプロジェクタや機構は、撮影装置とは別個に、投影セット７のような１つの単位としてまとめてもよく、この場合、各単位ごとにまとめた投影セット７を、従来一般の撮影装置に取り付けるだけで、本願の投影機能を有した撮影装置を製造することもできる。
【００４６】
以上の説明は、好ましい実施形態に関するものであり、物品を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品の精神から逸脱することなく行うことができる。
【符号の説明】
【００４７】
１  撮影ボックス
３  撮影装置
３Ａ  壁面    
５  撮影空間
１１  外壁
１１Ａ  前外壁
１２  設置面
２０  画像発生部、投影光生成部
２１  投影光
３０  指向部
３１  ミラー片
３１Ａ、３１Ｂ、３１Ｃ  ミラー部分
４１、４２、４３  画像
５３  空間内人感センサ
５４  空間外人感センサ
５５  操作部材
２００  投影光生成部（投影光生成手段）
２０１  光源
２０２  光源制御部
３００  指向部（指向手段）
３０１  ミラー
３０２  ミラー制御部
４００  画像発生部（画像発生手段）
４０１  画像調整部
４０２  画像制御部
５００  センサ
５０１  検知部
５０２  検知部
【図１】
2020197791.tif 000003
【図２】
2020197791.tif 000004
【図３】
2020197791.tif 000005
【図４Ａ】
2020197791.tif 000006
【図４Ｂ】
2020197791.tif 000007
【図５】
2020197791.tif 000008
【図６】
2020197791.tif 000009
【図７】
2020197791.tif 000010